(57)【要約】【課題】蓄電池に充電された電力を有効活用することが可能な監視制御装置を提供することである。【解決手段】実施形態の監視制御装置は、通信部は、管轄内の電力系統に設置された蓄電池の放電を指令するシステムから放電信号を取得する。演算部は、前記通信部が前記放電信号を取得した場合に、前記蓄電池の直流電圧を変換する電圧変換部の優先度を特性情報データベースから取得する。前記通信部は、前記優先度の高い電圧変換部から順に、前記電圧変換部に接続された蓄電池を放電させる制御信号を出力する。【選択図】図２
2014014212.tif 000002
【特許請求の範囲】
【請求項１】
管轄内の電力系統に設置された蓄電池の放電を指令するシステムから放電信号を取得す
る通信部と、
前記通信部が前記放電信号を取得した場合に、前記蓄電池の直流電圧を変換する電圧変
換部の優先度を電圧変換部特性データベースから取得する演算部と
を有し、前記通信部は、前記優先度の高い電圧変換部から順に、前記電圧変換部に接続さ
れた蓄電池を放電させる制御信号を出力する監視制御装置。
【請求項２】
管轄内の電力系統に設置された蓄電池の放電を指令するシステムから放電信号を取得す
る通信部と、
前記通信部が前記放電信号を取得した場合に、前記蓄電池の直流電圧を変換する電圧変
換部の特性を電圧変換部特性データベースから取得し、前記特性に基づいて前記電圧変換
部の優先度を設定する演算部と
を有し、前記通信部は、前記優先度の高い電圧変換部から順に、前記電圧変換部に接続さ
れた蓄電池を放電させる制御信号を出力する監視制御装置。
【請求項３】
前記通信部は、所定の時間間隔で前記電圧変換部の特性をさらに取得し、
前記演算部は、前記通信部が取得した前記特性を電圧変換部特性データベースに書き込
み、前記特性のうち最新の特性に基づいて前記電圧変換部の優先度を設定する請求項２に
記載の監視制御装置。
【請求項４】
前記演算部は、蓄電池特性データベースから前記蓄電池の充放電回数をさらに取得し、
前記充放電回数が所定の回数以下であるか否かの判定を行い、
前記通信部は、前記充放電回数が所定の回数以下であると判定された場合に、前記蓄電
池を放電させる制御信号を出力する請求項２に記載の監視制御装置。
【請求項５】
前記演算部は、前記電圧変換部特性データベースから前記電圧変換部の変換損失を取得
し、前記変換損失の小さい順に前記電圧変換部の優先度を高く設定する請求項２乃至請求
項４のいずれか１項に記載の監視制御装置。
【請求項６】
前記演算部は、前記電圧変換部特性データベースから前記電圧変換部の消費電力を取得
し、前記消費電力の小さい順に前記電圧変換部の優先度を高く設定する請求項２乃至請求
項４のいずれか１項に記載の監視制御装置。
【請求項７】
前記演算部は、電圧変換部特性データベースから前記電圧変換部の変換損失および消費
電力を取得し、前記変換損失と前記消費電力の合計値が小さい順に前記電圧変換部の優先
度を高く設定する請求項２乃至請求項４のいずれか１項に記載の監視制御装置。
【発明の詳細な説明】
【技術分野】
【０００１】
本発明の実施形態は、監視制御装置に関する。
【背景技術】
【０００２】
太陽光発電や風力発電といった再生可能エネルギーを用いた分散型電源の普及に伴い、
天候等に左右される不安定な出力を安定させるために定置型蓄電池の必要性が高まってい
る。例えば、電気自動車用の蓄電池をリユースバッテリとして用いる場合、出力や容量、
寿命等の特性が異なる蓄電池を複数組み合せて構成することになる。
【０００３】
蓄電池からの直流電圧を変換する変換器においては、蓄電池の特性の違いによって変換
器自体の消費電力や変換効率による電力損失が異なるため、蓄電池に充電された電力を有
効活用するためには、これらを考慮する必要がある。
【０００４】
また、蓄電池の直流出力を交流に変換して交流負荷へ電力を供給する場合にも電力変換
による損失が生じる。
【先行技術文献】
【特許文献】
【０００５】
【特許文献１】特開２０１２−１０９２６０号公報
【発明の概要】
【発明が解決しようとする課題】
【０００６】
本発明の実施形態が解決しようとする課題は、蓄電池に充電された電力を有効活用する
ことが可能な監視制御装置を提供することである。
【課題を解決するための手段】
【０００７】
実施形態の監視制御装置は、通信部は、管轄内の電力系統に設置された蓄電池の放電を
指令するシステムから放電信号を取得する。演算部は、前記通信部が前記放電信号を取得
した場合に、前記蓄電池の直流電圧を変換する電圧変換部の優先度を特性情報データベー
スから取得する。前記通信部は、前記優先度の高い電圧変換部から順に、前記電圧変換部
に接続された蓄電池を放電させる制御信号を出力する。
【図面の簡単な説明】
【０００８】
【図１】第１の実施形態の監視制御装置を含む蓄電池システムの構成を示すブロック図。
【図２】第１の実施形態の監視制御装置の構成を示すブロック図。
【図３】第１の実施形態の監視制御装置における電圧変換部特性ＤＢに格納されたテーブルの一例を示す説明図。
【図４】第１の実施形態の監視制御装置の動作を示すフローチャート。
【図５】第２の実施形態の監視制御装置の構成を示すブロック図。
【図６】第２の実施形態の監視制御装置の動作を示すフローチャート。
【図７】第３の実施形態の監視制御装置の構成を示すブロック図。
【図８】第３の実施形態の監視制御装置の動作を示すフローチャート。
【図９】第４の実施形態の監視制御装置の構成を示すブロック図。
【図１０】第４の実施形態の監視制御装置における電圧変換部特性ＤＢに格納されたテーブルの一例を示す説明図。
【図１１】第４の実施形態の監視制御装置の動作を示すフローチャート。
【図１２】第５の実施形態の監視制御装置の構成を示すブロック図。
【図１３】第５の実施形態の監視制御装置における蓄電池ＤＢに格納されたテーブルの一例を示す説明図。
【図１４】第５の実施形態の監視制御装置の動作を示すフローチャート。
【発明を実施するための形態】
【０００９】
以下、実施形態を図面に基づき説明する。
【００１０】
（第１の実施形態）
図１は第１の実施形態の監視制御装置を含む蓄電池システムの構成を示すブロック図で
ある。
【００１１】
第１の実施形態の監視制御装置を含む蓄電池システムは、図１に示すように監視制御装
置１、ＥＭＳ（Ｅｎｅｒｇｙ  Ｍａｎａｇｅｍｅｎｔ  Ｓｙｓｔｅｍ）２、蓄電池３、電
圧変換部４、直流母線５に接続される直流負荷設備６、電力変換部７、交流母線８に接続
される交流負荷設備９を有する。
【００１２】
電力変換部７は、交流電力と直流電力とを相互に変換する変換器、変換手段であり、具
体的にはＤＣ／ＡＣインバータなどが挙げられる。
【００１３】
蓄電池３は、リチウムイオン電池、鉛電池、ナトリウム硫黄電池、電気二重層コンデン
サなどの二次電池である。
【００１４】
電圧変換部４は、蓄電池３の直流電圧を変換する変換器、変換手段であり、具体的には
ＤＣ／ＤＣコンバータなどが挙げられる。
【００１５】
ＥＭＳ２は、地域や店舗といった管轄内の電力系統に設置された蓄電池３の放電を指令
するシステムである。
【００１６】
直流負荷設備６としては、例えば地域単位であれば電気自動車用の充電ステーション、
店舗単位であればＬＥＤ（Ｌｉｇｈｔ  Ｅｍｉｔｔｉｎｇ  Ｄｉｏｄｅ）照明などが挙げ
られるが、これらに限られるものではない。
【００１７】
図２は第１の実施形態の監視制御装置の構成を示すブロック図である。
【００１８】
第１の実施形態の監視制御装置１は、通信部１０１、演算部１０２、記憶部１０３を有
する。
【００１９】
通信部１０１は、ＥＭＳ２、電圧変換部４、電力変換部７とのデータの授受を行うイン
ターフェース（Ｉｎｔｅｒｆａｃｅ）などの通信装置、通信手段である。
【００２０】
記憶部１０３は、ＲＡＭ（Ｒａｎｄｏｍ  Ａｃｃｅｓｓ  Ｍｅｍｏｒｙ）やＲＯＭ（Ｒ
ｅａｄ  Ｏｎｌｙ  Ｍｅｍｏｒｙ）などのメモリ及び、ハードディスクドライブ（Ｈａｒ
ｄ  Ｄｉｓｋ  Ｄｒｉｖｅ：ＨＤＤ）などの記憶装置、記憶手段である。ＨＤＤなどの磁
気ディスク以外にも光磁気ディスクやＣＤ（Ｃｏｍｐａｃｔ  Ｄｉｓｃ）、ＤＶＤ（Ｄｉ
ｇｉｔａｌ  Ｖｅｒｓａｔｉｌｅ  Ｄｉｓｃ）、ブルーレイディスク（Ｂｌｕ−ｒａｙ  
Ｄｉｓｃ）などの光ディスクを利用してもよい。
【００２１】
記憶部１０３には、演算部１０２での処理に利用される電圧変換部特性ＤＢ１０４が格
納される。また、ＣＰＵ（Ｃｅｎｔｒａｌ  Ｐｒｏｃｅｓｓｉｎｇ  Ｕｎｉｔ）などのプ
ロセッサが演算部１０２での処理に必要なプログラムが格納されている。
【００２２】
例えば、電圧変換部特性ＤＢ１０４には、図３に示すように各電圧変換部４の変換損失
および消費電力の情報が格納される。ここで、変換損失と消費電力のどちらか一方、もし
くは変換損失と消費電力の両方を電圧変換部の特性と呼ぶ。
【００２３】
ただし、上記の電圧変換部特性ＤＢ１０４に格納される情報は一例であり、これらに限
定されるものではない。例えば、各電圧変換部４の変換損失と消費電力のうち、どちらか
一方の情報のみが必要である場合は、必ずしも両方の特性情報が格納されていなくてもよ
い。
【００２４】
演算部１０２は、各電圧変換部４の変換損失から、電圧変換部４の優先度を設定する。
【００２５】
また演算部１０２は、実際に放電した電力量が放電すべき電力量（需要電力量）を満たし
たか否かの判定を行う。
【００２６】
これら演算部１０２における処理は、記憶部１０３に格納されるプログラムがＣＰＵな
どのプロセッサによって動作されることで実現される。
【００２７】
次に動作について図４を用いて説明する。図４は第１の実施形態の監視制御装置の動作
を示すフローチャートである。
【００２８】
通信部１０１は、ＥＭＳ２から放電信号および需要電力量を取得する（ステップＳ２０
１）。
【００２９】
演算部１０２は、通信部１０１が放電信号および需要電力量を取得した場合に、電圧変
換部特性ＤＢ１０４から、各電圧変換部４の変換損失を取得する（ステップＳ２０２）。
【００３０】
また演算部１０２は、取得した変換損失から電圧変換部４の優先度を設定する（ステッ
プＳ２０３）。
【００３１】
具体的な一例として、図３に示すような３つの電圧変換部４ａ，４ｂ，４ｃについて優
先度を考える。ここで、電圧変換部４ａ，４ｂ，４ｃに接続される蓄電池をそれぞれ蓄電
池３ａ，３ｂ，３ｃとする。
【００３２】
それぞれの電圧変換部４ａ，４ｂ，４ｃの変換損失は、電圧変換部４ａが１[Ｗ]、電圧
変換部４ｂが５[Ｗ]、電圧変換部４ｃが３[Ｗ]であるため、変換損失の小さい順に優先度
が高く設定される。すなわち、この例では電圧変換部４ａ、電圧変換部４ｃ、電圧変換部
４ｂの順に優先度が高くなる。
【００３３】
通信部１０１は、演算部１０２が設定した優先度のうち、最も優先度の高い電圧変換部
４に対して、接続されている蓄電池３を放電させる制御信号を出力する（ステップＳ２０
４）。
【００３４】
（ステップＳ２０３）における具体例の場合では、電圧変換部４ａに対して、蓄電池３
ａを放電させる制御信号を出力することになる。
【００３５】
通信部１０１は、直流母線５へ放電した電力量を取得する。演算部１０２は、通信部１
０１が取得した電力量と需要電力量と比較することで、放電量が需要電力量を満たしたか
否かの判定を行う（ステップＳ２０５）。
【００３６】
放電量が需要電力量を満たしていない場合（ステップＳ２０５  ＮＯ）、演算部１０２
は、放電を行った蓄電池以外の蓄電池３が存在するか否かの判定を行う（ステップＳ２０
６）。
【００３７】
放電を行った蓄電池以外の蓄電池３が存在する場合（ステップＳ２０６  ＹＥＳ）、通
信部１０１は、次に優先度の高い電圧変換部４に対して、接続されている蓄電池３を放電
させる制御信号を出力する（ステップＳ２０７）。
【００３８】
（ステップＳ２０３）における具体例で示すと、最も優先順位の高い電圧変換部４ａに
接続されている蓄電池３ａの放電のみでは需要電力量を満たさない場合、次に優先順位の
高い電圧変換部４ｃに対して、蓄電池４ｃを放電させる制御信号を出力する。それでも需
要電力量を満たさない場合、その次に優先度の高い電圧変換部４ｂに対して、蓄電池４ｂ
を放電させる制御信号を出力する。
【００３９】
放電を行った蓄電池以外の蓄電池３が存在しない場合（ステップＳ２０６  ＮＯ）、通
信部１０１は、ＥＭＳ２に対して交流系統を開放する指令を出力する（ステップＳ２０８
）。
【００４０】
ここで、（ステップＳ２０１）において通信部１０１は、需要電力量を取得せずに放電
信号のみを取得してもよい。
【００４１】
また、放電量が需要電力量を満たしたか否かの判定（ステップＳ２０５）は、ＥＭＳ２
によって行われ、放電量が需要電力量を満たした場合、ＥＭＳ２から通信部１０１への放
電信号を停止するといった構成にしてもよい。
【００４２】
さらに、（ステップＳ２０３）において設定される電圧変換部４の優先度は、予め電圧
変換部特性ＤＢ１０４に格納されたものを読み出してもよい。
【００４３】
なお、本実施例では蓄電池３の放電についてのみ記載しているが、蓄電池３の充電につ
いては、放電の場合と同様に電圧変換部４の変換損失を考慮してもよいし、従来の方法に
より行われてもよい。
【００４４】
以上説明したように、この第１の実施形態の監視制御装置では、変換損失の小さい電圧
変換部４から選択することで、効率のよい運用が可能となり、蓄電池３に充電された電力
を有効活用することができる。
【００４５】
（第２の実施形態）
第２の実施形態の構成について、図５を用いて説明する。なお、第１の実施形態の監視
制御装置の各部と同一部分は同一符号で示し、説明は省略する。図５は第２の実施形態の
監視制御装置の構成を示すブロック図である。
【００４６】
この第２の実施形態が、第１の実施形態と異なる点は演算部１０５にある。以下に第１
の実施形態と異なる点について説明する。
【００４７】
演算部１０５は、各電圧変換部４の消費電力から、電圧変換部４の優先度を設定する。
【００４８】
次に動作について図６を用いて説明する。図６は第２の実施形態の監視制御装置の動作
を示すフローチャートである。
【００４９】
（ステップＳ２０１）は第１の実施形態と同様であるので省略する。
【００５０】
演算部１０５は、通信部１０１が放電信号および需要電力量を取得した場合に、電圧変
換部特性ＤＢ１０４から、各電圧変換部４の消費電力を取得する（ステップＳ２０９）。
【００５１】
また演算部１０５は、取得した消費電力から電圧変換部４の優先度を設定する（ステッ
プＳ２１０）。
【００５２】
具体的な一例として、図３に示すような３つの電圧変換部４ａ，４ｂ，４ｃについて優
先度を考える。ここで、電圧変換部４ａ，４ｂ，４ｃに接続される蓄電池をそれぞれ蓄電
池３ａ，３ｂ，３ｃとする。
【００５３】
それぞれの電圧変換部４ａ，４ｂ，４ｃの消費電力は、電圧変換部４ａが１０[Ｗ]、電
圧変換部４ｂが３[Ｗ]、電圧変換部４ｃが６[Ｗ]であるため、消費電力の小さい順に優先
度が高く設定される。すなわち、この例では電圧変換部４ｂ、電圧変換部４ｃ、電圧変換
部４ａの順に優先度が高くなる。
【００５４】
（ステップＳ２０４）乃至（ステップＳ２０８）は第１の実施形態と同様であるので省
略する。
【００５５】
ここで、（ステップＳ２１０）において設定される電圧変換部４の優先度は、予め電圧
変換部特性ＤＢ１０４に格納されたものを読み出してもよい。
【００５６】
なお、本実施例では蓄電池３の放電についてのみ記載しているが、蓄電池３の充電につ
いては、放電の場合と同様に電圧変換部４の消費電力を考慮してもよいし、従来の方法に
より行われてもよい。
【００５７】
以上説明したように、この第２の実施形態の監視制御装置では、消費電力の小さい電圧
変換部４から選択することで、効率のよい運用が可能となり、蓄電池３に充電された電力
を有効活用することができる。
【００５８】
（第３の実施形態）
第３の実施形態の構成について、図７を用いて説明する。なお、第１の実施形態および
第２の実施形態の監視制御装置の各部と同一部分は同一符号で示し、説明は省略する。図
７は第３の実施形態の監視制御装置の構成を示すブロック図である。
【００５９】
この第３の実施形態が、第１の実施形態および第２の実施形態と異なる点は演算部１０
６にある。以下に第１の実施形態および第２の実施形態と異なる点について説明する。
【００６０】
演算部１０６は、各電圧変換部４の変換損失と消費電力の合計値を算出し、その合計値
から、電圧変換部４の優先度を設定する。
【００６１】
次に動作について図８を用いて説明する。図８は第３の実施形態の監視制御装置の動作
を示すフローチャートである。
【００６２】
（ステップＳ２０１）は第１の実施形態と同様であるので省略する。
【００６３】
演算部１０６は、通信部１０１が放電信号および需要電力量を取得した場合に、電圧変
換部特性ＤＢ１０４から、各電圧変換部４の変換損失および消費電力を取得する。そして
、各電圧変換部４の変換損失と消費電力の合計値を算出する（ステップＳ２１１）。
【００６４】
また演算部１０６は、算出した変換損失と消費電力の合計値から電圧変換部４の優先度
を設定する（ステップＳ２１２）。
【００６５】
具体的な一例として、図３に示すような３つの電圧変換部４ａ，４ｂ，４ｃについて優
先度を考える。ここで、電圧変換部４ａ，４ｂ，４ｃに接続される蓄電池をそれぞれ蓄電
池３ａ，３ｂ，３ｃとする。
【００６６】
それぞれの電圧変換部４ａ，４ｂ，４ｃ変換損失は、電圧変換部４ａが１[Ｗ]、電圧変
換部４ｂが５[Ｗ]、電圧変換部４ｃが３[Ｗ]であり、消費電力は、電圧変換部４ａが１０
[Ｗ]、電圧変換部４ｂが３[Ｗ]、電圧変換部４ｃが６[Ｗ]である。そのため、変換損失と
消費電力の合計値は、電圧変換部４ａが１１[Ｗ]、電圧変換部４ｂが８[Ｗ]、電圧変換部
４ｃが９[Ｗ]である。
【００６７】
(ステップＳ２１２)では、この合計値の小さい順に優先度が高く設定される。すなわち
、この例では電圧変換部４ｂ、電圧変換部４ｃ、電圧変換部４ａの順に優先度が高くなる
。
【００６８】
（ステップＳ２０４）乃至（ステップＳ２０８）は第１の実施形態と同様であるので省
略する。
【００６９】
ここで、（ステップＳ２１２）において設定される電圧変換部４の優先度は、予め電圧
変換部特性ＤＢ１０４に格納されたものを読み出してもよい。
【００７０】
なお、本実施例では蓄電池３の放電についてのみ記載しているが、蓄電池３の充電につ
いては、放電の場合と同様に電圧変換部４の変換損失と消費電力の合計値を考慮してもよ
いし、従来の方法により行われてもよい。
【００７１】
以上説明したように、この第３の実施形態の監視制御装置では、変換損失の小さく、か
つ消費電力の小さい電圧変換部４から選択することで、効率のよい運用が可能となり、蓄
電池３に充電された電力を有効活用することができる。
【００７２】
（第４の実施形態）
第４の実施形態の構成について、図９を用いて説明する。なお、第１の実施形態乃至第
３の実施形態の監視制御装置の各部と同一部分は同一符号で示し、説明は省略する。図９
は第４の実施形態の監視制御装置の構成を示すブロック図である。
【００７３】
この第４の実施形態が、第１の実施形態乃至第３の実施形態と異なる点は通信部１０７
、演算部１０８、記憶部１０９にある。以下に第１の実施形態乃至第３の実施形態と異な
る点について説明する。
【００７４】
通信部１０７は、時間間隔ｔごとに電圧変換部４から変換損失を取得する。ここで通信
部１０７は、時間間隔ｔごとに電圧変換部４から変換損失ではなく、消費電力を取得して
もよいし、変換損失と消費電力の両方を取得してもよい。また、時間間隔ｔはユーザーに
よって任意に設定、変更可能である。
【００７５】
記憶部１０９には、演算部１０８での処理に利用される電圧変換部特性ＤＢ１１０が格
納される。例えば、電圧変換部特性ＤＢ１１０には、図１０に示すように各電圧変換部４
の変換損失および消費電力の情報が時間間隔ｔごとに格納される。
【００７６】
演算部１０８は、通信部１０７が取得した時間間隔ｔごとの変換損失を電圧変換部特性
ＤＢ１１０に書き込む。そして、各電圧変換部４の最新の変換損失から、電圧変換部４の
優先度を設定する。
【００７７】
ただし、上記の電圧変換部特性ＤＢ１０４に格納される情報は一例であり、これらに限
定されるものではない。例えば、変換損失と消費電力のうち、どちらか一方の情報が時間
間隔ｔごとに格納されていてもよい。
【００７８】
次に動作について図１１を用いて説明する。図１１は第４の実施形態の監視制御装置の
動作を示すフローチャートである。
【００７９】
（ステップＳ２０１）乃至（ステップＳ２０８）は第１の実施形態と同様であるので省
略する。
【００８０】
演算部１０８は、電圧変換部特性ＤＢ１０４から、各電圧変換部４の最新の変換損失を
取得する（ステップＳ２１３）。
【００８１】
演算部１０８は、ＥＭＳ２から放電信号が継続しているか否かの判定を行う（ステップ
Ｓ２１４）。
【００８２】
ＥＭＳ２から放電信号が継続している場合（ステップＳ２１４  ＹＥＳ）は、（ステッ
プＳ２０３）に戻り、演算部１０８は、最新の変換損失から電圧変換部４の優先度を設定
する。
【００８３】
なお、本実施例では電圧変換部４の変換損失に基づいて、電圧変換部４の優先度を設定
しているが、第２の実施形態のように電圧変換部４の消費電力に基づいて優先度を設定し
てもよいし、第３の実施形態のように変換損失と消費電力の合計値に基づいて優先度を設
定してもよい。
【００８４】
また、蓄電池３の充電については、放電の場合と同様に電圧変換部４の最新の変換損失
や最新の消費電力を考慮してもよいし、従来の方法により行われてもよい。
【００８５】
以上説明したように、この第４の実施形態の監視制御装置では、通信部１０７が時間間
隔ｔごとに電圧変換部４の変換損失や消費電力を取得し、最新の変換損失や消費電力に基
づいて電圧変換部４を選択する。そのため、電圧変換部４の変換損失や消費電力が時間に
よって変動する場合でも、変換損失や消費電力の小さい電圧変換部４から選択することが
可能となり、蓄電池３に充電された電力を有効活用することができる。
【００８６】
（第５の実施形態）
第５の実施形態の構成について、図１２を用いて説明する。なお、第１の実施形態乃至
第３の実施形態の監視制御装置の各部と同一部分は同一符号で示し、説明は省略する。図
１２は第５の実施形態の監視制御装置の構成を示すブロック図である。
【００８７】
この第５の実施形態が、第１の実施形態乃至第３の実施形態と異なる点は演算部１１１
、記憶部１１２にある。以下に第１の実施形態乃至第３の実施形態と異なる点について説
明する。
【００８８】
記憶部１１２には、電圧変換部特性ＤＢ１０４に加えて、演算部１１１での処理に利用
される蓄電池特性ＤＢ１１３が格納される。例えば、蓄電池特性ＤＢ１１３には、図１３
に示すように各蓄電池３の過去の充放電回数の情報が格納される。
【００８９】
ただし、上記の蓄電池特性ＤＢ１１３に格納される情報は一例であり、充放電回数以外
の蓄電池の劣化情報が格納されていてもよい。
【００９０】
演算部１１１は、蓄電池特性ＤＢ１１３から蓄電池３の充放電回数を取得する。そして
、取得した充放電回数が所定回数以下であるか否かの判定を行う。
【００９１】
次に動作について図１４を用いて説明する。図１４は第５の実施形態の監視制御装置の
動作を示すフローチャートである。
【００９２】
（ステップＳ２０１）乃至（ステップＳ２０３）は第１の実施形態と同様であるので省
略する。
【００９３】
演算部１１１は、蓄電池特性ＤＢ１１３から、最も優先度が高い電圧変換部４に接続さ
れた蓄電池３の充放電回数を取得する（ステップＳ２１５）。
【００９４】
演算部１１１は、取得した充放電回数が所定回数以下であるか否かの判定を行う（ステ
ップＳ２１６）。
【００９５】
ここで、所定回数とは任意に設定可能な、基準となる回数のことである。
【００９６】
取得した充放電回数が所定回数以下である場合（ステップＳ２１６  ＹＥＳ）、通信部
１０１は、（ステップＳ２１６）での判定を満たした蓄電池３を放電させる制御信号を出
力する（ステップＳ２１７）。
【００９７】
演算部１１１は、蓄電池３を放電させた場合に、蓄電池特性ＤＢ１１３の充放電回数を
更新する（ステップＳ２１８）。
【００９８】
（ステップＳ２０５）乃至（ステップＳ２０８）は第１の実施形態と同様であるので省
略する。
【００９９】
（ステップＳ２１６）において、充放電回数が所定回数を超えていた場合（ステップＳ
２１６  ＮＯ）および、（ステップＳ２０６）において、放電を行った蓄電池以外の蓄電
池３が存在する場合（ステップＳ２０６  ＹＥＳ）に、演算部１１１は、蓄電池特性ＤＢ
１１３から、次に優先度が高い電圧変換部４に接続された蓄電池３の充放電回数を取得す
る（ステップＳ２１９）。
【０１００】
なお、本実施例では蓄電池３の放電についてのみ記載しているが、蓄電池３の充電につ
いては、放電の場合と同様に蓄電池３の充放電回数を考慮してもよいし、従来の方法によ
り行われてもよい。
【０１０１】
本実施例では電圧変換部４の変換損失に基づいて、電圧変換部４の優先度を設定してい
るが、第２の実施形態のように電圧変換部４の消費電力に基づいて優先度を設定してもよ
いし、第３の実施形態のように変換損失と消費電力の合計値に基づいて優先度を設定して
もよい。
【０１０２】
また、蓄電池３の充放電回数に関しても電圧変換部４の特性と同様に優先度を設定し、
以下に示すような蓄電池３の優先度と電圧変換部４の優先度との重み付き和ｗを算出し、
算出した重み付き和の小さい蓄電池３と電圧変換部４の組から放電するようにしてもよい
。
【０１０３】
ｗ＝αｘ＋ｙ
ここで、ｘは蓄電池３の優先度、ｙは電圧変換部４の優先度を表す。重みαは任意に設
定可能である。蓄電池３の優先度は、蓄電池のＳＯＣ（Ｓｔａｔｅ  Ｏｆ  Ｃｈａｒｇｅ
）や電気量、最大蓄電容量、これらの組み合せにより算出してもよい。
【０１０４】
以上説明したように、この第５の実施形態の監視制御装置では、電圧変換部４の特性だ
けでなく、蓄電池３の充放電回数などの劣化情報を考慮して放電する蓄電池３を選択する
。そのため、第１の実施形態乃至第３の実施形態で得られる効果に加えて、蓄電池３の劣
化を抑制することができる。
【０１０５】
以上説明した少なくとも一つの実施形態によれば、電圧変換部の変換損失や消費電力と
いった特性を考慮して放電する蓄電池を選択するため、蓄電池に充電された電力を有効活
用することができる。
【０１０６】
なお、上記の実施例および図１では、監視制御装置１とＥＭＳ２を別々に記載している
が、監視制御装置１はＥＭＳ２に組み込まれていてもよい。
【０１０７】
本発明のいくつかの実施形態について説明したが、これらの実施形態は、例として提示
したものであり、発明の範囲を限定することは意図していない。これらの実施形態は、そ
の他の様々な形態で実施されることが可能であり、発明の要旨を逸脱しない範囲で、種々
の省略、置き換え、変更を行うことができる。これら実施形態やその変形は、発明の範囲
や要旨に含まれると同様に、特許請求の範囲に記載された発明とその均等の範囲に含まれ
る。
【符号の説明】
【０１０８】
１…監視制御装置
１０１，１０７…通信部
１０２，１０５，１０６，１０８，１１１…演算部
１０３，１０９，１１２…記憶部
１０４，１１０…電圧変換部特性ＤＢ（Ｄａｔａ  Ｂａｓｅ：データベース）
１１３…蓄電池特性ＤＢ
２…ＥＭＳ（Ｅｎｅｒｇｙ  Ｍａｎａｇｅｍｅｎｔ  Ｓｙｓｔｅｍ）
３…蓄電池
４…電圧変換部
５…直流母線
６…直流負荷設備
７…電力変換部
８…交流母線
９…交流負荷設備
【図１】
2014014212.tif 000003
【図２】
2014014212.tif 000004
【図３】
2014014212.tif 000005
【図４】
2014014212.tif 000006
【図５】
2014014212.tif 000007
【図６】
2014014212.tif 000008
【図７】
2014014212.tif 000009
【図８】
2014014212.tif 000010
【図９】
2014014212.tif 000011
【図１０】
2014014212.tif 000012
【図１１】
2014014212.tif 000013
【図１２】
2014014212.tif 000014
【図１３】
2014014212.tif 000015
【図１４】
2014014212.tif 000016